(57)【特許請求の範囲】
【請求項１】
撮影レンズを備えたレンズ鏡筒本体と、当該レンズ鏡筒本体に取り付けた三脚座を有するレンズ鏡筒において、
前記三脚座の位置は、前記撮影レンズの光軸から離れた位置と近い位置との少なくとも２つの位置に、調整可能であり、
前記三脚座に形成した傾斜スライド面を摺動させる傾斜レール面を有し、前記レンズ鏡筒本体に回転自在に設けた三脚リングと、
前記傾斜スライド面を前記傾斜レール面に沿って摺動させながら、前記三脚座を前記光軸から離れた位置と近い位置で移動した後、前記三脚座を固定する固定手段と、
を具備することを特徴とするレンズ鏡筒。
【請求項２】
前記固定手段は、前記離れた位置に形成された第１位置ネジ孔と前記近い位置に形成された第２位置ネジ孔と、前記三脚座に形成された挿通孔と、前記挿通孔を通して前記第１位置ネジ孔または前記第２位置ネジ孔に螺合する固定用ネジとからなることを特徴とする請求項１に記載のレンズ鏡筒。
【請求項３】
撮影レンズを備えたレンズ鏡筒本体と、当該レンズ鏡筒本体に取り付けた三脚座を有するレンズ鏡筒において、
前記三脚座の位置は、前記撮影レンズの光軸から離れた位置と近い位置との少なくとも２つの位置に、調整可能であり、
前記三脚座に形成した傾斜スライド面を摺動させる傾斜レール面を有し、前記レンズ鏡筒本体に回転自在に設けた三脚リングと、
前記三脚座を、前記傾斜スライド面を前記傾斜レール面に沿って、前記光軸に近い位置に向けて付勢する付勢手段と、
当該付勢手段の付勢力に抗して、前記三脚座を、前記光軸から離れた位置に保持してロックするロック手段と、
前記レンズ鏡筒本体にフードが逆向きに取り付けられると、当該ロック手段を解除する解除手段と、
を具備し、することを特徴とするレンズ鏡筒。
【請求項４】
前記レンズ鏡筒本体は、レンズフードを取り付け可能であり、
前記撮影レンズの光軸から前記三脚座までの距離を前記離れた位置にしたとき、取り付けた前記三脚座を有する前記レンズ鏡筒本体の外径は前記レンズフードの内径よりも大きくなり、前記撮影レンズの光軸から前記三脚座までの距離を前記近い位置にしたとき、取り付けた前記三脚座を有する前記レンズ鏡筒本体の外径は、前記レンズフードの内径よりも小さくなることを特徴とする請求項１から３のいずれか１項に記載のレンズ鏡筒。
【発明の詳細な説明】
【技術分野】
【０００１】
本発明は、三脚座を備えたレンズ鏡筒に関する。
【背景技術】
【０００２】
長焦点距離域のレンズ鏡筒には、通常、レンズ鏡筒を三脚に固定するための三脚座が設けられている。
【０００３】
また、レンズ鏡筒には、フォーカスリングやズームリングといった操作部材が設けられており、三脚座は、これらフォーカスリングやズームリング等の操作を妨げないよう配置されている必要がある。
【０００４】
一方、レンズ鏡筒の先端部には、ゴーストやフレアの原因となる光線を遮断するためのフードを装着することができ、その収納時には、レンズ鏡筒の先端部に、フードを逆向きに装着するものが広く知られている。
【０００５】
図５は、従来例に係り、三脚座を備えたレンズ鏡筒の断面図である。レンズ鏡筒本体１は、その後方に設けたマウント２を介して、カメラ本体（図示略）に取り付けられる。レンズ鏡筒本体１には、フォーカスリング３が設けてあり、レンズ鏡筒本体１の先端部には、フード４が取り付けられる。
【０００６】
レンズ鏡筒本体１には、三脚リング５が光軸Ｌを中心として回転自在に取り付けられている。三脚リング５には、三脚座６が複数のボルト７を用いて固定される。
【特許文献１】特開２００１−３５００７８号公報
【発明の開示】
【発明が解決しようとする課題】
【０００７】
三脚座は、操作性を考慮すると、レンズ鏡筒の光軸より離れた位置に配置することが望ましいが、あまり離すと、非使用時にスペースをとり、収納や運搬の際の妨げとなることがあった。
【０００８】
さらに、フードは、その収納時の逆向き装着時に、三脚座と干渉しないようにせねばならず、フードが大型化し、操作性や運搬に問題があった。  
【０００９】
例えば、図５の従来例では、三脚座６の光軸Ｌからの距離が図５のように配置されていると、フォーカスリング３と三脚座６の間隔が狭く、フォーカスリング３を操作する際の妨げとなる。
【００１０】
図示しないが、三脚座６の高さが図５の場合よりも高く形成してあると、三脚座６を光軸Ｌから離れた位置に配置でき、フォーカスリング３と三脚座６の間隔が確保でき、フォーカスリング３の操作は容易である。
【００１１】
しかし、収納時や運搬の妨げとなり、さらに、フード４をレンズ鏡筒本体１の先端部に逆向きに装着した際、三脚座６と干渉しないように、フード４の径を大きくする必要があり、ゴーストやフレアの原因となる不必要な光線を遮断するという、フード４の本来の目的に悪影響を与える可能性がある。
【００１２】
また、重心位置の調整のため、特許文献１のような三脚座が前後するものが知られている。しかし、三脚座の座面高さを変化させることができず、フードを逆付けした場合には、三脚座の座面高さを逃げるために径を大きくせざるを得ないという問題があった。  
【００１３】
本発明は、上述したような事情に鑑みてなされたものであって、操作時の妨げにならず、非使用時にはスペースを取ることのない三脚座を有するレンズ鏡筒を提供することを目的とする。
【課題を解決するための手段】
【００１４】
上記の目的を達成するため、本発明に係るレンズ鏡筒は、撮影レンズを備えたレンズ鏡筒本体と、当該レンズ鏡筒本体に取り付けた三脚座を有するレンズ鏡筒において、前記三脚座の位置は、前記撮影レンズの前記光軸から離れた位置と近い位置との少なくとも２つの位置に、調整可能であり、前記三脚座に形成した傾斜スライド面を摺動させる傾斜レール面を有し、前記レンズ鏡筒本体に回転自在に設けた三脚リングと、前記傾斜スライド面を前記傾斜レール面に沿って摺動させながら、前記三脚座を前記光軸から離れた位置と近い位置で移動した後、前記三脚座を固定する固定手段と、を具備することを特徴とする。
また、本発明に係るレンズ鏡筒は、撮影レンズを備えたレンズ鏡筒本体と、当該レンズ鏡筒本体に取り付けた三脚座を有するレンズ鏡筒において、前記三脚座の位置は、前記撮影レンズの前記光軸から離れた位置と前記近い位置との少なくとも２つの位置に、調整可能であり、前記三脚座に形成した傾斜スライド面を摺動させる傾斜レール面を有し、前記レンズ鏡筒本体に回転自在に設けた三脚リングと、前記三脚座を、前記傾斜スライド面を前記傾斜レール面に沿って、前記光軸に近い位置に向けて付勢する付勢手段と、当該付勢手段の付勢力に抗して、前記三脚座を、前記光軸から離れた位置に保持してロックするロック手段と、前記レンズ鏡筒本体にフードが逆向きに取り付けられると、当該ロック手段を解除する解除手段と、を具備することを特徴とする。
【発明の効果】
【００１５】
本発明によれば、操作時の妨げにならず、非使用時にはスペースを取ることのない三脚座を有するレンズ鏡筒を提供することができる。
【発明を実施するための最良の形態】
【００１６】
以下、本発明の実施の形態に係るレンズ鏡筒を図面を参照しつつ説明する。
【００１７】
図１は、本発明の第１実施の形態に係り、三脚座を備えたレンズ鏡筒の断面図である。図２は、図１に示したレンズ鏡筒の断面図であって、フードをレンズ鏡筒本体に逆向きに取り付けた状態を示す。
【００１８】
レンズ鏡筒本体１は、その後方に設けたマウント２を介して、カメラ本体（図示略）に取り付けられる。レンズ鏡筒本体１には、フォーカスリング３が設けてあり、レンズ鏡筒本体１の先端部には、フード４が取り付けられる。
【００１９】
レンズ鏡筒本体１には、三脚リング１０が光軸Ｌを中心として回転自在に取り付けられている。三脚リング１０には、三脚座２０が固定される。
【００２０】
三脚リング１０は、カメラ本体（図示略）に近付く程光軸Ｌに近付く方向に傾斜した傾斜レール面１１を有している。なお、傾斜方向は、反対であってもよい。三脚リング１０には、三脚座２０を光軸Ｌから離れた第１位置と光軸Ｌに近い第２位置とに、それぞれ固定する際に使用する、ネジ孔１２，１３が形成してある。
【００２１】
三脚座２０には、傾斜レール面１１を摺動する傾斜スライド面２１が形成してあり、また、固定用ネジ３０を挿通するための挿通孔２２が形成してある。なお、三脚座２０には、三脚（図示略）を取付けるためのネジ孔２３が形成してある。
【００２２】
撮影時等には、三脚座２０を傾斜レール面１１の第１位置に設置して、固定用ネジ３０を挿通孔２２を介して第１位置ネジ孔１２に螺合して固定する。この際、フード４は、図１に示すように装着してある。従って、三脚座２０を光軸Ｌから離れた第１位置に配置でき、フォーカスリング３と三脚座２０の間隔が確保でき、フォーカスリング３の操作は容易である。
【００２３】
一方、収納時等には、図２に示すように、三脚座２０を、その傾斜スライド面２１を傾斜レール面１１に沿って摺動させながら、光軸Ｌから離れた第１位置から光軸Ｌに近い第２位置に移動する。その後、固定用ネジ３０を挿通孔２２を介して第２位置ネジ孔１３に螺合して固定する。
【００２４】
この際、フード４をレンズ鏡筒本体１に逆向きに取り付けることができ、このような非使用時、フード４と三脚座２０が干渉することがなく、不要なスペースを取ることもない。しかも、フード４の径を大きくする必要がないことから、ゴーストやフレアの原因となる不必要な光線を遮断するという、フード４の本来の目的に、悪影響を与える可能性もない。
【００２５】
図３は、本発明の第２実施の形態に係り、三脚座を備えたレンズ鏡筒の半断面図である。図４は、図３に示したレンズ鏡筒の半断面図であって、フードをレンズ鏡筒本体に逆向きに取り付けた状態を示す。
【００２６】
本実施の形態では、三脚座２０を光軸Ｌから離れた第１位置から光軸Ｌに近い第２位置に自動的に移動できるように構成してある。
【００２７】
三脚座２０を、その傾斜スライド面２１を傾斜レール面１１に沿って光軸Ｌに近い第２位置に向けて付勢する引き上げ用バネ４０が設けてある。この引き上げ用バネ４０の付勢力に抗して、三脚座２０を光軸Ｌから離れた第１位置に保持してロックするロックプレート５０が三脚座２０に回転可能に設けてある。
【００２８】
このロックプレート５０は、ロック用バネ６０により、図３において時計回りに付勢してある。ロックプレート５０は、このロック用バネ６０の付勢力により、三脚リング１０に設けた係止凹部１４に係止してロックする係止爪５１を有している。また、ロックプレート５０には、レンズ鏡筒本体１にフード４が逆向きに取り付けられると、フード４の先端が当接する当接部５２が設けてある。
【００２９】
撮影時等には、手動操作によって図３に示すように、引き上げ用バネ４０の付勢力により三脚座２０を光軸Ｌから離れた第１位置に保持し、ロック用バネ６０の付勢力により、ロックプレート５０の係止爪５１を係止凹部１４に係止ロックして、三脚座２０を保持する。
【００３０】
この際、フード４は、図１と同様に装着してある。従って、三脚座２０を光軸Ｌから離れた第１位置に配置でき、フォーカスリング３と三脚座２０の間隔が確保でき、フォーカスリング３の操作は容易である。
【００３１】
一方、収納時等には、図３に示すように、レンズ鏡筒本体１にフード４が逆向きに取り付けられようとすると、フード４の先端がロックプレート５０の当接部５２に当接する。すると、図４に示すように、ロック用バネ６０の付勢力により、係止凹部１４に対する係止爪５１の係止ロック状態が解除される。
【００３２】
その結果、引き上げ用バネ４０の付勢力により、三脚座２０は、その傾斜スライド面２１を傾斜レール面１１に沿って摺動させながら、光軸Ｌから離れた第１位置から光軸Ｌに近い第２位置に移動する。
【００３３】
このように、本実施の形態では、三脚座２０を光軸Ｌから離れた第１位置から光軸Ｌに近い第２位置に自動的に移動できる。また、フード４をレンズ鏡筒本体１に逆向きに取り付けることができ、このような非使用時、フード４と三脚座２０が干渉することがなく、不要なスペースを取ることもない。しかも、フード４の径を大きくする必要がないことから、ゴーストやフレアの原因となる不必要な光線を遮断するという、フード４の本来の目的に、悪影響を与える可能性もない。
【００３４】
なお、本発明は、上述した実施の形態に限定されず、種々変形可能である。
【図面の簡単な説明】
【００３５】
【図１】本発明の第１実施の形態に係り、三脚座を備えたレンズ鏡筒の断面図である。
【図２】図１に示したレンズ鏡筒の断面図であって、フードをレンズ鏡筒本体に逆向きに取り付けた状態を示す。
【図３】本発明の第２実施の形態に係り、三脚座を備えたレンズ鏡筒の半断面図である。
【図４】図３に示したレンズ鏡筒の半断面図であって、フードをレンズ鏡筒本体に逆向きに取り付けた状態を示す。
【図５】従来例に係り、三脚座を備えたレンズ鏡筒の断面図である。
【符号の説明】
【００３６】
１…レンズ鏡筒本体、４…フード、１０…三脚リング、１１…傾斜レール面、２０…三脚座、２１…傾斜スライド面、４０…引き上げ用バネ、６０…ロック用バネ
【図１】
0004815919.tif 000002
【図２】
0004815919.tif 000003
【図３】
0004815919.tif 000004
【図４】
0004815919.tif 000005
【図５】
0004815919.tif 000006